(57)【要約】      （修正有）【課題】型を用いずに製作することができて型代を省くことにより製作コストを低減することができると共に、装飾の自由度が高く、単品製作にも適した着物を提供する。【解決手段】装飾部材が着物地とは別素材により形成され、その装飾部材が着物地に固定されて模様が付加されたことを特徴とする。また、上記装飾部材の素材としてフェルトが用いられている。また、上記装飾部材は着物地に糊付けされている。更に、上記装飾部材は刺繍糸により着物地に固定されている。【選択図】図１
0003104757.tif 000002
【実用新案登録請求の範囲】
【請求項１】
装飾部材が着物地とは別素材により形成され、その装飾部材が着物地に固定されて模様が付加されたことを特徴とする着物。
【請求項２】
上記装飾部材の素材がフェルトであることを特徴とする請求項１記載の着物。
【請求項３】
上記装飾部材は着物地に糊付けされて固定されていることを特徴とする請求項１又は2記載の着物。
【請求項４】
上記着物地に固定された上記装飾部材が更に刺繍糸により着物地に固定されていることを特徴とする請求項１、２又は３記載の着物。
【考案の詳細な説明】
【技術分野】
【０００１】
本考案は、装飾模様が施された着物に関する。
【背景技術】
【０００２】
着物には装飾模様が施されている。そして、着物に装飾模様を施す手段として、従来は、友禅染め等の型染めが一般的であった。
【０００３】
しかしながら、友禅染めの場合は、染め型が必要で、その型製作コストが高いという不具合があった。
【０００４】
また、予め型の模様が決まっているので、装飾の自由性がなく、多様な模様を施すことができないという不具合もあった。
【０００５】
また、型染めの場合、何着かを（例えば１２着づつ）まとめて製作しないと不経済であるため、１着づつ製作できないという不具合もあった。
【０００６】
本出願人は上記の不具合を解消しうる先行技術について調査したが、関連する先行技術文献を見出すことはできなかった。
【考案の開示】
【考案が解決しようとする課題】
【０００７】
そこで本考案は、上記の不具合を解消しうる着物、即ち、型を用いずに製作することができて型代を省くことにより製作コストを低減することができると共に、装飾の自由度が高く、単品製作にも適した着物の提供を課題とする。
【課題を解決するための手段】
【０００８】
上記課題を解決するために、請求項１記載の本考案に係る着物は、装飾部材が着物地とは別素材により形成され、その装飾部材が着物地に固定されて模様が付加されたことを特徴とするものである。
【０００９】
即ち、請求項１記載の本考案に係る着物は、型染めにより着物地に装飾を施すのではなく、着物地とは別個に形成された装飾部材を着物地に固定することにより装飾模様を着物地に表すものである。
【００１０】
また、請求項２記載の本考案に係る着物は、上記装飾部材の素材がフェルトであることを特徴とする。
【００１１】
即ち、請求項２記載の本考案に係る着物は、上記装飾部材に、着物地の素材とは異なるフェルトを用いたものである。
【００１２】
また、請求項３記載の本考案に係る着物は、上記装飾部材が着物地に糊付けされて固定されていることを特徴とする。
【００１３】
即ち、請求項３記載の本考案に係る着物は、上記装飾部材が糊を用いて簡単に着物地に固定されるものである。
【００１４】
また、請求項４記載の本考案に係る着物は、上記着物地に固定された上記装飾部材が更に刺繍糸により着物地に固定されていることを特徴とする。
【００１５】
即ち、請求項４記載の本考案に係る着物は、上記装飾部材が糊で着物地に固定されているだけではなく、刺繍糸によっても着物地に固定されている。
【考案の効果】
【００１６】
請求項１記載の本考案に係る着物は、装飾部材が着物地とは別素材により形成され、その装飾部材が着物地に固定されて模様が付加されたことから、従来の型染めとは異なり染め型を製作する必要がなく、型製作コストを省くことができ、着物製作費を低減することができる。
また、装飾部材の模様は型により制約されることがないので、任意の模様を採用することができ、装飾の自由度が増大する。
また、装飾部材の模様は1品づつ変化させることができるので、1品づつ異なる模様の着物を製作することができる。
【００１７】
また、請求項２記載の本考案に係る着物は、上記装飾部材の素材がフェルトであることから、装飾部材の風合いは絹等を素材とする着物地とは異なることになる。従って、異なる風合いの素材が組み合わされたことになり、これにより独特の風合いが生じ、装飾性が一段とアップする。
また、フェルト製の装飾部材は糊等により接着しやすく、着物地に対し固定しやすい。
【００１８】
また、請求項３記載の本考案に係る着物は、上記装飾部材が着物地に糊付けされて固定されていることから、着物地に対する装飾部材の固定工程が極めて容易で、製作コストを低減することができる。
【００１９】
また、請求項４記載の本考案に係る着物は、上記着物地に固定された上記装飾部材が更に刺繍糸により着物地に固定されていることから、装飾部材の着物地に対する固定が更に強化されると共に、刺繍を施したことにより装飾が絢爛豪華になって装飾性が一段と向上する。
【考案を実施するための最良の形態】
【００２０】
以下、図面に基づき本考案の実施の形態について説明する。
本実施形態に係る着物１０は、図１に示すように、装飾部材１１が着物地１２とは別素材により形成され、その装飾部材１１が着物地１２に固定されて模様１３が付加されている。
また、上記装飾部材１１の素材にはフェルト１４が用いられている。
また、図２に示すように、上記装飾部材１１は着物地１２に糊付けされて固定されている。
また、上記着物地１２に固定された上記装飾部材１１は、図１及び図２に示すように、更に刺繍糸１５により着物地１２に固定されている。
【実施例１】
【００２１】
以下、図示した本考案の実施例について説明する。
本実施例に係る着物１０は、役者が着用する着物であって、図１に示すように、その着物地１２の背中の位置に牡丹の花の模様１３が施されている。
なお、着物地１２の地色は白であり、又、素材は絹を使用している。
【００２２】
上記模様１３は、従来から一般的に行われている友禅染め等の型染めによって表されたものではなく、独自の方法によって表されている。
【００２３】
即ち、牡丹の花の模様１３を表した装飾部材１１が着物地１２とは別個に形成され、その装飾部材１１が、図１及び図２に示すように、着物地１２に固定されて上記模様１３が表されている。
【００２４】
上記装飾部材１１はフェルト１４を用いて形成されている、即ち、フェルト地に牡丹の花模様が表され、そのフェルト地が牡丹の花模様の輪郭線に沿って切り抜かれることにより形成されている。
なお、上記模様１３は自由であり、牡丹の花に限定されるものではない。
【００２５】
上記装飾部材１１は、図２に示すように、糊１６を用いて着物地１２に接着されることにより固定されている。
【００２６】
更に、上記装飾部材１１は、図１及び図２に示すように、刺繍糸１５を用いて着物地１２に固定されている。
即ち、図１に示すように、上記牡丹の花の模様１３の中で、複数の赤い花びらの輪郭線部分が金色の刺繍糸１５により縁取られていて、上記模様１３が絢爛豪華に表現されている。
【００２７】
本実施例に係る着物１０は、従来の友禅染め等の型染めとは異なり、染め型を用いることなく、着物地１２に模様１３が付加されている。
即ち、装飾部材１１が着物地１２とは別素材により形成され、その装飾部材１１が着物地１２に固定されて模様１３が付加されている。
従って、染め型を製作する必要がなく、型製作コストを省くことができる。また、装飾部材の模様は型により制約されることがないので、任意の模様を採用することができる。これにより、着物製作費を低減することができると共に、装飾の自由度が増大する。
また、装飾部材の模様は1品づつ変えることができる。従って、1品づつ異なる模様の着物を製作することができる。
また、上記装飾部材１１の素材としてフェルト１４が用いられ、装飾部材１１の風合いは絹等を素材とする着物地１２とは異なるので、異なる風合いの素材が組み合わされたことになる。従って、独特の風合いが生じ、装飾性が一段とアップする。
また、上記装飾部材１１が着物地１２に糊付けされて固定されることにより、着物地１２に対する装飾部材１１の固定工程が簡単容易になる。また、上記のように装飾部材１１はフェルト１４を用いて形成されていることから糊１６により着物地１２に接着しやすく、固定しやすい。従って、工程が容易で製作コストを低減することができる。
また、上記着物地１２に固定された上記装飾部材１１は更に刺繍糸１５により着物地１２に固定されるので、装飾部材１１の着物地１２に対する固定が更に強化される。また、模様１３の一部に刺繍糸１６が表れるので、装飾が絢爛豪華になる。従って、役者用の着物のように派手さが要求される着物には好適である。
【産業上の利用可能性】
【００２８】
本考案は、模様が施される全ての着物に適用可能である。
【図面の簡単な説明】
【００２９】
【図１】斜視図である。
【図２】図１のＡ−Ａ線断面図である。
【符号の説明】
【００３０】
１０  着物
１１  装飾部材
１２  着物地
１３  模様
１４  フェルト
１５  刺繍糸
１６  糊
【図１】
0003104757.tif 000003
【図２】
0003104757.tif 000004